(57)【特許請求の範囲】
【請求項１】
下方から見ると四角形である略箱形状の本体ケースと、
前記本体ケース内に配置された空気清浄手段と第１のファンと、
前記本体ケースの下面に設けたルーバとを備え、
前記ルーバは、第１のルーバ吹出口と第１のルーバ吸込口とを有し、
前記第１のファンの第１のファン吹出口は、前記第１のルーバ吹出口と連通し、
前記第１のファンの第１のファン吸込口は、前記第１のルーバ吸込口と連通し、
前記空気清浄手段は、前記第１のルーバ吸込口と前記第１のファン吸込口との間の風路に備えられ、
前記第１のルーバ吸込口は、前記本体ケースの第１に対向する他方側に設けられ、
前記第１のルーバ吹出口は、
前記本体ケースの第１に対向する一方側に設けた第１のルーバ吹出開口部と、
前記本体ケースの第２に対向する一方側に設けた第２のルーバ吹出開口部と、
前記本体ケースの第２に対向する他方側に設けた第３のルーバ吹出開口部とを備えたことを特徴とする空気清浄装置。
【請求項２】
前記第１のファンの前記第１のファン吹出口から、前記第２のルーバ吹出開口部または第３のルーバ吹出開口部への風路を塞ぐ遮蔽板を備えたことを特徴とする請求項１に記載の空気清浄装置。
【請求項３】
前記第１のルーバ吹出開口部から吹き出す風量は、前記第２のルーバ吹出開口部または第３の吹出開口部から吹き出す風量より大きいことを特徴とする請求項１または２に記載の空気清浄装置。
【請求項４】
前記第１のファン吹出口は、前記第１のルーバ吹出口と連通路を介して連通し、
前記連通路は、
前記第１のファン吹出口から前記本体ケースの第１に対向する一方側へ水平方向に延びた第１の連通路と、
前記第１の連通路から下方向に延びた第２の連通路とからなり、
前記第２の連通路には、水平方向に延びた板形状の風向板を備え、
前記第２の連通路と、前記風向板の前記本体ケースの第１に対向する一方側と前記本体ケースの第２に対向する一方側と前記本体ケースの第２に対向する他方側との間に空間を備えたことを特徴とする請求項１から３のいずれかに記載の空気清浄装置。
【発明の詳細な説明】
【技術分野】
【０００１】
本発明は、例えば天井に取り付けられる空気清浄装置に関するものである。
【背景技術】
【０００２】
従来のこの種の空気清浄装置の構成は、下記のようなものとなっていた。
【０００３】
すなわち、略箱形状の本体ケースと、本体ケース内に配置された空気清浄手段と第１のファンと、本体ケースの下面に設けた第１の本体吹出口と第１の本体吸込口とを有している。第１の本体吸込口は、本体ケースの一方側に設け、第１の本体吹出口は、本体ケースの他方側に設けられている。（例えば特許文献１参照）。
【先行技術文献】
【特許文献】
【０００４】
【特許文献１】特開２００６−９７９９８号公報
【発明の概要】
【発明が解決しようとする課題】
【０００５】
上記従来例で課題となるのは、室内の空気を更に効率的に浄化するということであった。
【０００６】
すなわち、上記従来例における空気清浄装置は、本体ケースの一方側の第１のファン吹出口から、浄化した空気を吹き出し、この浄化した空気が主に、室内を循環する。この循環した空気は、室内の他の空気や粉塵等と共に、本体ケースの他方側の下面に設けた第１の本体吸込口から吸い込まれる。
【０００７】
このように、室内に第１のファン吹出口である本体ケースの一方向から、浄化した空気を吹き出す場合には、本体ケースの一方側と同じ方向である室内の一方側には、浄化した空気が循環し易いので、室内の一方側は効率的に浄化される。しかし、室内のその他の方向は、室内の一方側に比べて浄化した空気が循環し難いので、浄化の効率は低くなる。
【０００８】
そこで本発明は、吹き出し方向を、増やすことで、室内の空気を更に効率的に浄化することを目的とするものである。
【課題を解決するための手段】
【０００９】
そして、この目的を達成するために本発明は、下方から見ると四角形である略箱形状の本体ケースと、前記本体ケース内に配置された空気清浄手段と第１のファンと、前記本体ケースの下面に設けたルーバとを備え、前記ルーバは、第１のルーバ吹出口と第１のルーバ吸込口とを有し、前記第１のファンの第１のファン吹出口は、前記第１のルーバ吹出口と連通し、前記第１のファンの第１のファン吸込口は、前記第１のルーバ吸込口と連通し、前記空気清浄手段は、前記第１のルーバ吸込口と前記第１のファン吸込口との間の風路に備えられ、前記第１のルーバ吸込口は、前記本体ケースの第１に対向する他方側に設けられ、前記第１のルーバ吹出口は、前記本体ケースの第１に対向する一方側に設けた第１のルーバ吹出開口部と、前記本体ケースの第２に対向する一方側に設けた第２のルーバ吹出開口部と、前記本体ケースの第２に対向する他方側に設けた第３のルーバ吹出開口部とを備えたことを特徴とし、これにより初期の目的を達成するものである。
【発明の効果】
【００１０】
以上のように、本発明は、下方から見ると四角形である略箱形状の本体ケースと、前記本体ケース内に配置された空気清浄手段と第１のファンと、前記本体ケースの下面に設けたルーバとを備え、前記ルーバは、第１のルーバ吹出口と第１のルーバ吸込口とを有し、前記第１のファンの第１のファン吹出口は、前記第１のルーバ吹出口と連通し、前記第１のファンの第１のファン吸込口は、前記第１のルーバ吸込口と連通し、前記空気清浄手段は、前記第１のルーバ吸込口と前記第１のファン吸込口との間の風路に備えられ、前記第１のルーバ吸込口は、前記本体ケースの第１に対向する他方側に設けられ、前記第１のルーバ吹出口は、前記本体ケースの第１に対向する一方側に設けた第１のルーバ吹出開口部と、前記本体ケースの第２に対向する一方側に設けた第２のルーバ吹出開口部と、前記本体ケースの第２に対向する他方側に設けた第３のルーバ吹出開口部とを備えたことを特徴としたので、空気を更に効率的に浄化することができる。
【００１１】
すなわち本発明においては、第１の本体吹出口は、本体ケースの第１に対向する一方側に設けた第１の吹出開口部と、本体ケースの第２に対向する一方側に設けた第２の吹出開口部と、本体ケースの第２に対向する他方側に設けた第３の吹出開口部とを備えているので、吹き出し方向が増え、室内の空気を更に効率的に浄化することができるものである。
【図面の簡単な説明】
【００１２】
【図１】本発明の実施の形態の空気清浄装置の設置状態を示す図
【図２】同空気清浄装置の展開図
【図３】同空気清浄装置の内部を示す図
【図４】同空気清浄装置の断面図
【図５】同空気清浄装置の設置状態を示す図
【図６】同空気清浄装置の設置状態を示す図
【発明を実施するための形態】
【００１３】
以下、本発明の実施の形態について、図面を参照しながら説明する。
【００１４】
図１は、実施の形態の空気清浄装置の設置状態を示す図である。図２は、実施の形態の空気清浄装置の展開図である。図２は、本体ケースにおける斜め下方から見た状態で、ルーバと、空気清浄手段とを外した展開図である。
【００１５】
図１、図２に示すように、空気清浄装置は、天井埋込形で、換気機能を備えたものである。空気清浄装置は、下方から見ると四角形である略箱形状の本体ケース１の下方に、ルーバ２を設け、本体ケース１内には、空気清浄手段５と、後述する第１のファン３と、第２のファン４とを有している。
【００１６】
本体ケース１は、天井６に開けられた正方形の孔６Ａに挿入され、天井６裏に挿入設置される。本体ケース１は、上下方向の厚みが小さい、下面が開口した略箱形状で、水平断面形状は、四角形である。
【００１７】
本体ケース１の下面の開口には、この開口を塞ぐように装着されるケース下面カバー８を備えている。このケース下面カバー８には、第１の本体吸込口９と、第２の本体吸込口１０と、第１の本体吹出口１１とを備えている。本体ケース１の他方側の側面には、第２の本体吹出口１２を有している。この第２の本体吹出口１２は、屋外と連通するダクト１３に連結される。
【００１８】
ルーバ２は、第１のルーバ吸込口２Ａと、第２のルーバ吸込口２Ｂと、第１のルーバ吹出口２Ｃとを備えている。第１のルーバ吸込口２Ａは、第１の本体吸込口９と連通し、第２のルーバ吸込口２Ｂは、第２の本体吸込口１０と連通し、第１のルーバ吹出口２Ｃは、第１の本体吹出口１１と連通している。
【００１９】
図３は、実施の形態の空気清浄装置の内部を示す図である。図３は、本体ケースにおける下方から見た状態である。図４は、実施の形態の空気清浄装置の断面図である。
【００２０】
図３、図４に示すように、本体ケース１の下端辺には、外方へ伸びるフランジ部７を備えている。本体ケース１は、天井６に開けられた正方形の孔６Ａに挿入され、フランジ部７を介して、ねじによって天井６に固定される。フランジ部７は、ケース下面カバー８に覆われる。
【００２１】
第２のファン４は、第２のケーシング部１４と、この第２のケーシング部１４内に配置された第２の羽根１５と、この第２の羽根１５を駆動する第２のモータ１６とを有している。
【００２２】
第２のモータ１６は、第２のモータ１６の下面より下方へ伸びた第２のモータ回転軸１７を備えている。この第２のモータ回転軸１７に、第２の羽根１５が固定されている。この第２の羽根１５の１例は、シロッコファンである。
【００２３】
第２のケーシング部１４は、第２のファン吸込口（図示せず）と第２のファン吹出口１９とを有している。第２のファン吸込口は、第２の本体吸込口１０と連通し、第２のファン吹出口１９は、第２の本体吹出口１２と連通している。第２のファン吸込口は、本体ケース１の第２に対向する一方側（図３における左側）に設けられている。
【００２４】
第２のモータ１６によって、第２の羽根１５を駆動すると、室内の空気が、ルーバ２の第２のルーバ吸込口２Ｂから本体ケース１内に吸い込まれる。この吸い込まれた空気は、第２のファン吸込口を介して第２のケーシング部１４内に入り、第２のファン吹出口１９を介して、第２の本体吹出口１２から屋外と連通するダクト１３へ送風される。すなわち、室内の空気を屋外へ換気送風するものである。
【００２５】
図２、図３、図４に示すように、ケース下面カバー８は、本体ケース１における第１に対向する一方側（図４における左側、図３における上側）の下面には、第１の本体吸込口９と第２の本体吸込口１０を有し、本体ケース１における第１に対向する他方側（図４における右側、図３における下側）の下面には、第１の本体吹出口１１を備えている。
【００２６】
第１のファン３は、第１のケーシング部２０と、この第１のケーシング部２０内に配置された第１の羽根２１と、この第１の羽根２１を駆動する第１のモータ２２とを有している。
【００２７】
第１のモータ２２は、第１のモータ２２の下面より下方へ伸びた第１のモータ回転軸２３を備えている。この第１のモータ回転軸２３に、第１の羽根２１が固定されている。この第１の羽根２１の１例は、シロッコファンである。
【００２８】
第１のケーシング部２０は、下面には、第１のファン吸込口２４が設けられている。第１のケーシング部２０の側面には、本体ケース１における第１に対向する他方側に開口した第１のファン吹出口２５を有している。
【００２９】
第１の本体吸込口９の上方には、第１のファン吸込口２４を設け、第１のファン吸込口２４は、第１の本体吸込口９と連通している。この第１のファン吸込口２４と第１の本体吸込口９との間の風路には、空気清浄手段５を設けている。空気清浄手段５の１例は、集塵ファイルターである。
【００３０】
第１の本体吹出口１１の上方には、第１のファン吹出口２５を備え、第１のファン吹出口２５は、連通路２６を介して、第１の本体吹出口１１と連通している。連通路２６は、第１のファン吹出口２５から第１に対向する他方側水平方向に延びた第１の連通路２７と、第１の連通路２７から下方向に延びた第２の連通路２８とから構成している。ルーバ２の第１のルーバ吹出口２Ｃは、第２の連通路２８から第１に対向する他方側斜め下方向に延びた送風路３０を有している。
【００３１】
第１のモータ２２によって、第１の羽根２１を駆動すると、室内の空気が、ルーバ２の第１のルーバ吸込口２Ａから、第１の本体吸込口９に設けられた空気清浄手段５を介して本体ケース１内に吸い込まれる。この吸い込まれた空気は、第１のファン吸込口２４から第１のケーシング部２０内に入り、第１のファン吹出口２５、連通路２６、ルーバ２の第１のルーバ吹出口２Ｃを介して、第１の本体吸込口９から室内へ送風される。すなわち、室内の空気が、空気清浄手段５を介して、循環送風するものである。
【００３２】
図５は、実施の形態の空気清浄装置の設置状態を示す図である。図５は、本体ケースにおける下方から見た状態である。
【００３３】
図５に示すように、ルーバ２は、ルーバ２の中心より本体ケース１の第１に対向する他方側（図５における上側）には、第１のルーバ吸込口２Ａと、第２のルーバ吸込口２Ｂと備え、ルーバ２の中心より本体ケース１の第１に対向する一方側（図５における下側）には、第１のルーバ吹出口２Ｃとを備えている。なお、第１のルーバ吸込口２Ａ、第２のルーバ吸込口２Ｂ、第１のルーバ吹出口２Ｃは破線で囲まれた部分である。
【００３４】
本実施形態の特徴は、本体ケース１の第１に対向する一方側（図５における下側）に設けた第１のルーバ吹出口２Ｃである。第１のルーバ吹出口２Ｃは、本体ケース１の第１に対向する一方側（図５における下側）に設けた第１のルーバ吹出開口部３１と、本体ケース１の第２に対向する一方側（図５における左側）に設けた第２のルーバ吹出開口部３２と、本体ケース１の第２に対向する他方側（図５における右側）に設けた第３のルーバ吹出開口部３３とを備えている。第１のルーバ吹出口２Ｃは、第１のルーバ吹出開口部３１の両端に、第２のルーバ吹出開口部３２と第３のルーバ吹出開口部３３とを備えた、コの字形状である。
【００３５】
更に詳しく説明すると、第２のルーバ吹出開口部３２は、本体ケース１の第１に対向する一方側寄りの本体ケース１の第２に対向する一方側（図５における下側寄りの左側）に設け、第３のルーバ吹出開口部３３は、本体ケース１の第１に対向する一方側寄りの本体ケース１の第２に対向する他方側（図５における下側寄りの右側）に設けたものである。
【００３６】
第１のルーバ吹出開口部３１は、四角形状のルーバ２において、本体ケース１の第１に対向する一方側の辺方向に長辺を有する略長方形の開口である。本体ケース１の第１に対向する他方側に設けた第１のルーバ吸込口２Ａ、空気清浄手段５を介して本体ケース１内に吸い込まれた空気の一部が、この第１のルーバ吹出開口部３１から、主に、本体ケースの第１に対向する一方側と同じ方向である室内の第１に対向する一方側へ送風される。
【００３７】
第２のルーバ吹出開口部３２は、四角形状のルーバ２において、本体ケースの第２に対向する一方側の辺方向に長辺を有する略長方形の開口である。本体ケース１の第１に対向する他方側に設けた第１のルーバ吸込口２Ａ、空気清浄手段５を介して本体ケース１内に吸い込まれた空気の一部が、この第２のルーバ吹出開口部３２から、主に、本体ケース１の第２に対向する一方側と同じ方向である室内の第２に対向する一方側へ送風される。
【００３８】
第３のルーバ吹出開口部３３は、四角形状のルーバ２において、本体ケース１の第２に対向する他方側の辺方向に長辺を有する略長方形の開口である。本体ケース１の第１に対向する他方側に設けた第１のルーバ吸込口２Ａ、空気清浄手段５を介して本体ケース１内に吸い込まれた空気の一部が、この第３のルーバ吹出開口部３３から、主に、本体ケース１の第２に対向する他方側と同じ方向である室内の第２に対向する他方側へ送風される。
【００３９】
すなわち、例えば、空気清浄装置を室内における中央部に設置した場合には、第１のルーバ吹出口２Ｃは、３つの方向に、第１のルーバ吹出開口部３１と、第２のルーバ吹出開口部３２と、第３のルーバ吹出開口部３３とを備えているので、吹き出し方向が増え、室内の空気を更に効率的に浄化することができるものである。
【００４０】
また、第１のファン３の第１のファン吹出口２５から、第２のルーバ吹出開口部３２または第３のルーバ吹出開口部３３への風路を塞ぐ遮蔽板３５を備えている。
【００４１】
これにより、第２のルーバ吹出開口部３２を遮蔽板３５によって塞ぐと、空気清浄手段５を介し、空気清浄された空気が、第１のルーバ吹出開口部３１および第３のルーバ吹出開口部３３から、２方向に室内へ送風される。
【００４２】
図６は、実施の形態の空気清浄装置を室内の角部に設置した状態を示す図である。図６は、本体ケースにおける斜め下方から見た状態である。図６に示すように、例えば、空気清浄装置を室内における隅である角部３６に設置する場合には、第２のルーバ吹出開口部３２を遮蔽板３５によって塞ぎ、第１のルーバ吹出開口部３１および第３のルーバ吹出開口部３３の２方向が室内の内方となるように設置する。これにより、第１のルーバ吹出口２Ｃからの空気が、室内の壁に当たることを抑制できる。また、同様に、空気清浄装置を室内における隅である、上記角部３６と隣り合う他の角部に設置する場合には、第３のルーバ吹出開口部３３を遮蔽板３５によって塞ぎ、第１のルーバ吹出開口部３１および第２のルーバ吹出開口部３２の２方向が室内の内方となるように設置する。これにより、第１のルーバ吹出口２Ｃからの空気が、室内の壁に当たることを抑制できる。
【００４３】
また、第１のルーバ吹出開口部３１から吹き出す風量は、第２のルーバ吹出開口部３２または第３のルーバ吹出開口部３３から吹き出す風量より大きい。第１のルーバ吹出開口部３１の開口面積は、第２のルーバ吹出開口部３２および第３のルーバ吹出開口部３３より大きい。
【００４４】
すなわち、第１のルーバ吸込口２Ａから、第１のルーバ吹出開口部３１までの距離は、第１のルーバ吸込口２Ａから、第２のルーバ吹出開口部３２および第３のルーバ吹出開口部３３までの距離より大きい。第１のルーバ吸込口２Ａからの距離が、最も離れている第１のルーバ吹出開口部３１からの吹き出す風量が大きいので、第１のルーバ吹出口２Ｃから吹き出した空気が室内を循環せず、第１のルーバ吸込口２Ａへショートサーキットすることを抑制できる。
【００４５】
図６に示すように、例えば、空気清浄装置を長方形の室内における隅である、上記角部３６に設置する場合には、第２のルーバ吹出開口部３２を遮蔽板３５によって塞ぎ、第１のルーバ吹出開口部３１および第３のルーバ吹出開口部３３の２方向が室内の内方となるように設置する。ここで、第１のルーバ吹出開口部３１を、長方形の室内の長辺方向３７へ吹き出すように空気清浄装置を設置する。
【００４６】
これにより、吹き出す風量が大きい第１のルーバ吹出開口部３１からの空気が、距離の長い長方形の室内の長辺方向３７へ吹き出し、吹き出す風量が小さい第３のルーバ吹出開口部３３からの空気が、距離の短い長方形の室内の短辺方向３８へ吹き出すので、室内の空気を更に効率的に浄化することができるものである。
【００４７】
また、同様に、例えば、空気清浄装置を長方形の室内における隅である、上記角部３６と隣り合う他の角部に設置する場合には、第３のルーバ吹出開口部３３を遮蔽板３５によって塞ぎ、第１のルーバ吹出開口部３１および第２のルーバ吹出開口部３２の２方向が室内の内方となるように設置する。ここで、第１のルーバ吹出開口部３１を、長方形の室内の長辺方向へ吹き出すように空気清浄装置を設置する。
【００４８】
これにより、吹き出す風量が大きい第１のルーバ吹出開口部３１からの空気が、距離の長い長方形の室内の長辺方向３７へ吹き出し、吹き出す風量が小さい第２のルーバ吹出開口部３２からの空気が、距離の短い長方形の室内の短辺方向３８へ吹き出すので、室内の空気を更に効率的に浄化することができるものである。
【００４９】
このように、第２のルーバ吹出開口部３２または第３のルーバ吹出開口部３３への風路を塞ぐ遮蔽板３５を備えているので、空気清浄装置を長方形の室内における隅である角部に設置する場合には、上記の効果を奏するように、どの角部にも設置可能となる。
【００５０】
また、図２、図４に示すように、第１のファン吹出口２５は、第１の本体吹出口１１と連通路２６を介して連通している。連通路２６は、第１のファン吹出口から第１に対向する他方側水平方向に延びた第１の連通路２７と、第１の連通路２７から下方向に延びた第２の連通路２８とからなる。第２の連通路２８には、水平方向に延びた板形状の風向板３９を備えている。第２の連通路２８と、風向板３９の本体ケース１の第１に対向する一方側と本体ケース１の第２に対向する一方側と本体ケースの第２に対向する他方側との間に空間４０を備えている。
【００５１】
これにより、第１のモータ２２によって、第１の羽根２１を駆動すると、室内の空気が、ルーバ２の第１のルーバ吸込口２Ａから、第１の本体吸込口９に設けられた空気清浄手段５を介して本体ケース１内に吸い込まれる。この吸い込まれた空気は、第１のファン吸込口２４から第１のケーシング部２０内に入り、第１のファン吹出口２５、第１の連通路、第２の連通路、連通路２６を介して、風向板３９へ送風される。この風向板３９の上面に当たった空気は、風向板３９の上面に沿いながら、風向板３９の本体ケース１の第１に対向する一方側と、本体ケース１の第２に対向する一方側と、本体ケース１の第２に対向する他方側との間に空間４０へ流れる。すなわち、風向板３９の上面に当たった空気は、風向板３９の上面に沿いながら流れるので、更に、本体ケース１の第１に対向する一方側と同じ方向である室内の第１に対向する一方側と、本体ケースの第２に対向する一方側と同じ方向である室内の第２に対向する一方側と、本体ケースの第２に対向する他方側と同じ方向である室内の第２に対向する他方側とへ送風され易くなる。
【産業上の利用可能性】
【００５２】
以上のように、本発明は、下方から見ると四角形である略箱形状の本体ケースと、前記本体ケース内に配置された空気清浄手段と第１のファンと、前記本体ケースの下面に設けたルーバとを備え、前記ルーバは、第１のルーバ吹出口と第１のルーバ吸込口とを有し、前記第１のファンの第１のファン吹出口は、前記第１のルーバ吹出口と連通し、前記第１のファンの第１のファン吸込口は、前記第１のルーバ吸込口と連通し、前記空気清浄手段は、前記第１のルーバ吸込口と前記第１のファン吸込口との間の風路に備えられ、前記第１のルーバ吸込口は、前記本体ケースの第１に対向する他方側に設けられ、前記第１のルーバ吹出口は、前記本体ケースの第１に対向する一方側に設けた第１のルーバ吹出開口部と、前記本体ケースの第２に対向する一方側に設けた第２のルーバ吹出開口部と、前記本体ケースの第２に対向する他方側に設けた第３のルーバ吹出開口部とを備えたことを特徴としたので、空気を更に効率的に浄化することができる。
【００５３】
すなわち本発明においては、第１の本体吹出口は、本体ケースの第１に対向する一方側に設けた第１の吹出開口部と、本体ケースの第２に対向する一方側に設けた第２の吹出開口部と、本体ケースの第２に対向する他方側に設けた第３の吹出開口部とを備えているので、吹き出し方向が増え、室内の空気を更に効率的に浄化することができるものである。
【００５４】
このため、家庭用、業務用として、天井取り付けされる空気清浄装置に広く活用が期待されるものとなる。
【符号の説明】
【００５５】
１      本体ケース
２      ルーバ
２Ａ    第１のルーバ吸込口
２Ｂ    第２のルーバ吸込口
２Ｃ    第１のルーバ吹出口
３      第１のファン
４      第２のファン
５      空気清浄手段
６      天井
６Ａ    孔
７      フランジ部
８      ケース下面カバー
９      第１の本体吸込口
１０      第２の本体吸込口
１１      第１の本体吹出口
１２      第２の本体吹出口
１３      ダクト
１４      第２のケーシング部
１５      第２の羽根
１６      第２のモータ
１７      第２のモータ回転軸
１９      第２のファン吹出口
２０      第１のケーシング部
２１      第１の羽根
２２      第１のモータ
２３      第１のモータ回転軸
２４      第１のファン吸込口
２５      第１のファン吹出口
２６      連通路
２７      第１の連通路
２８      第２の連通路
３０      送風路
３１      第１のルーバ吹出開口部
３２      第２のルーバ吹出開口部
３３      第３のルーバ吹出開口部
３５      遮蔽板
３６      角部
３７      室内の長辺方向
３８      室内の短辺方向
３９      風向板
４０      空間
【図１】
0006467623.tif 000002
【図２】
0006467623.tif 000003
【図３】
0006467623.tif 000004
【図４】
0006467623.tif 000005
【図５】
0006467623.tif 000006
【図６】
0006467623.tif 000007